(57)【要約】【課題】電池切れ時においても携帯機によってドア錠を施解錠することができるとともに、携帯機の登録を容易に行うことができる建物用ドア錠の遠隔操作装置を提供する。【解決手段】携帯機１１は、電池切れのときにモード切換スイッチ９をＯＮさせると、送受信装置１２から出力されたトランスポンダ駆動電波によってトランスポンダ制御部１５が駆動し、トランスポンダ信号を出力する。送受信装置１２は、このトランスポンダ信号に基づいてドア錠７，８を解錠させる。また、送受信装置１２のマイコン２４には、メモリ２４ａが設けられ、登録スイッチ１０が接続されている。そして、この登録スイッチ１０を所定時間以上ＯＮさせると、送受信装置１２は登録モードとなって、携帯機１１のＩＤコード及びトランスポンダコードをメモリ２４ａに自動的に順次記録する。【選択図】図５
2006336461.tif 000002
【特許請求の範囲】
【請求項１】
所有者によって所持される携帯機と、ドアまたはそのドアの近辺に配設された送受信装置とを備えるドア錠の遠隔操作装置であって、
携帯機は、内蔵された電池によって駆動し、送受信装置から出力された所定のリクエスト信号に応答して所定のＩＤコードを含む第１送信信号を自動送信するＩＤコード制御手段と、送受信装置から出力された所定のトランスポンダ駆動電波によって誘導された起電力により駆動し、そのトランスポンダ駆動電波に応答して所定のトランスポンダコードを含む第２送信信号を自動送信するトランスポンダ制御手段とを備え、
前記送受信装置は、前記ＩＤコード及び前記トランスポンダコードを記録可能な記録手段と、前記リクエスト信号を前記ドアの近辺の所定領域に出力可能なリクエスト信号出力手段と、前記ドアの近辺において、前記リクエスト信号の出力領域の範囲内であり、且つ該リクエスト信号の出力領域よりも狭領域に前記トランスポンダ駆動電波を出力可能なトランスポンダ駆動電波出力手段と、前記第１送信信号の受信時にその送信信号に含まれるＩＤコードと記録されたＩＤコードとを比較し、前記第２送信信号の受信時にその送信信号に含まれるトランスポンダコードと記録されたトランスポンダコードとを比較し、それらＩＤコード同士またはトランスポンダコード同士が一致したときにドア錠を解錠させるドアロック制御手段とを備えるとともに、
前記リクエスト信号及び前記トランスポンダ駆動電波の出力領域内に配設され、前記ＩＤコード及び前記トランスポンダコードを前記記録手段に記録する登録モードへの切り換えを行う登録スイッチが前記送受信装置に接続され、その登録スイッチの操作によって登録モードに切り換えられたときに前記送受信装置は、前記第１送信信号及び前記第２送信信号を前記携帯機から順次出力させ、それら送信信号に含まれるＩＤコード及びトランスポンダコードを、前記記録手段に自動的に順次記録することを特徴とするドア錠の遠隔操作装置。
【請求項２】
前記ドアの屋内側面及び屋外側面には、前記携帯機から出力された第１送信信号を受信可能な第１受信アンテナと、前記携帯機から出力された第２送信信号を受信可能な第２受信アンテナとがそれぞれ配設され、前記登録スイッチは、建物の屋内側において少なくとも前記第２受信アンテナと近接した位置に設けられていることを特徴とする請求項１に記載のドア錠の遠隔操作装置。
【請求項３】
前記登録スイッチを所定時間以上ＯＮさせたときに、前記送受信装置を前記登録モードに切り換えるようにしたことを特徴とする請求項１または請求項２に記載のドア錠の遠隔操作装置。
【発明の詳細な説明】
【技術分野】
【０００１】
本発明は、建物用ドア錠の遠隔操作装置に関し、例えば住宅のドア錠の自動解錠を行う装置に関するものである。
【背景技術】
【０００２】
一般に、住宅等の建物のドア錠は、ドアに設けられた鍵穴に機械的なキーを挿入して回動することにより、施錠・解錠されるようになっている。
しかし近年では、セキュリティの向上を目的に、ＩＤコードを用いた電子キーシステムも提案されている。この電子キーシステムは、所定のＩＤコードが記録された電子キーと、そのＩＤコードを読み取るための電子錠とから構成されている。こうした電子キーシステムとして、電子錠に設けられたカードリーダに電子キーを接触させることによって、電子錠にＩＤコードを読み込ませるものがある。また、電子キーに設けられた送信ボタンを押すことによって、ＩＤコードを含む無線信号を電子キーから電子錠に送信させて、電子錠にＩＤコードを読み込ませる、いわゆるリモートキーシステムがある。いずれのタイプも、電子錠は、読み取ったＩＤコードと、予め設定されたＩＤコードとを比較し、それらＩＤコード同士が一致したときにドア錠を解錠するようになっている。
【発明の開示】
【発明が解決しようとする課題】
【０００３】
ところで、リモートキーシステムにおいては、電子キーは内蔵された電池によって駆動される。このため、電池切れの場合には電子キーは作動せず、従来の機械的なキーによって電子錠を施解錠させる必要があった。但し、この方法では、通常は使用しない機械キーを、電子キーの電池切れ時に備えて常に携帯しなければならず、電子キーの利便性を損なうこととなる。よって、電子キーの電池切れ時でも電子錠の解錠を可能とするための機能を、リモートキーシステムに付加することが望まれている。
【０００４】
こうした観点から、電子錠に電子キーを近接させることによって電子キーに起電力を発生させ、その起電力を利用して電子キーを動作させる機能、すなわちトランスポンダ機能をリモートキーシステムに付加することも考えられる。これによれば、電子的なＩＤ照合でドア錠を解錠できるため、機械キーの携帯が不要となる。
【０００５】
しかしながら、リモートキーシステムにトランスポンダ機能を付加するためには、専用のＩＤコード（トランスポンダコード）を有するトランスポンダ制御部を電子キーに設ける必要がある。また、そのトランスポンダ機能によって電子錠を解錠させるためには、そのトランスポンダコードを電子錠に設定する必要がある。すなわち、電子キーを使用可能とするためには、通常の解錠動作に必要なＩＤコードとトランスポンダによる解錠動作に必要なトランスポンダコードとを電子錠に設定する必要がある。このため、例えば新規の電子キーによって電子錠を施解錠可能とする場合などには、個別の操作を行うことによって各コードを電子錠に登録する必要があり、その登録作業が煩雑になるという問題点がある。
【０００６】
本発明はこうした実情に鑑みてなされたものであり、その目的は、電池切れ時においても携帯機によってドア錠を施解錠することができるとともに、携帯機の登録を容易に行うことができる建物用ドア錠の遠隔操作装置を提供することにある。
【課題を解決するための手段】
【０００７】
上記の課題を解決するために、請求項１に記載の発明では、所有者によって所持される携帯機と、ドアまたはそのドアの近辺に配設された送受信装置とを備えるドア錠の遠隔操作装置であって、携帯機は、内蔵された電池によって駆動し、送受信装置から出力された所定のリクエスト信号に応答して所定のＩＤコードを含む第１送信信号を自動送信するＩＤコード制御手段と、送受信装置から出力された所定のトランスポンダ駆動電波によって誘導された起電力により駆動し、そのトランスポンダ駆動電波に応答して所定のトランスポンダコードを含む第２送信信号を自動送信するトランスポンダ制御手段とを備え、前記送受信装置は、前記ＩＤコード及び前記トランスポンダコードを記録可能な記録手段と、前記リクエスト信号を前記ドアの近辺の所定領域に出力可能なリクエスト信号出力手段と、前記ドアの近辺において、前記リクエスト信号の出力領域の範囲内であり、且つ該リクエスト信号の出力領域よりも狭領域に前記トランスポンダ駆動電波を出力可能なトランスポンダ駆動電波出力手段と、前記第１送信信号の受信時にその送信信号に含まれるＩＤコードと記録されたＩＤコードとを比較し、前記第２送信信号の受信時にその送信信号に含まれるトランスポンダコードと記録されたトランスポンダコードとを比較し、それらＩＤコード同士またはトランスポンダコード同士が一致したときにドア錠を解錠させるドアロック制御手段とを備えるとともに、前記リクエスト信号及び前記トランスポンダ駆動電波の出力領域内に配設され、前記ＩＤコード及び前記トランスポンダコードを前記記録手段に記録する登録モードへの切り換えを行う登録スイッチが前記送受信装置に接続され、その登録スイッチの操作によって登録モードに切り換えられたときに前記送受信装置は、前記第１送信信号及び前記第２送信信号を前記携帯機から順次出力させ、それら送信信号に含まれるＩＤコード及びトランスポンダコードを、前記記録手段に自動的に順次記録することを要旨とする。
【０００８】
請求項２に記載の発明では、請求項１に記載のドア錠の遠隔操作装置において、前記ドアの屋内側面及び屋外側面には、前記携帯機から出力された第１送信信号を受信可能な第１受信アンテナと、前記携帯機から出力された第２送信信号を受信可能な第２受信アンテナとがそれぞれ配設され、前記登録スイッチは、建物の屋内側において少なくとも前記第２受信アンテナと近接した位置に設けられていることを要旨とする。
【０００９】
請求項３に記載の発明では、請求項１または請求項２に記載のドア錠の遠隔操作装置において、前記登録スイッチを所定時間以上ＯＮさせたときに、前記送受信装置を前記登録モードに切り換えるようにしたことを要旨とする。
【００１０】
以下、本発明の「作用」について説明する。
請求項１〜３に記載の発明によると、通常、携帯機は、内蔵された電池によって駆動し、送受信装置から出力されたリクエスト信号に応答して所定のＩＤコードを含む第１送信信号を自動送信する。そして、送受信装置は、そのＩＤコードと記録手段に記録されたＩＤコードとを比較し、それらＩＤコード同士が一致したときにドア錠を解錠させる。このため、所有者（家人）は一切の操作を行うことなくドア錠を解錠させることができる。
【００１１】
しかも、携帯機は、電池切れのときには、送受信装置から出力されたトランスポンダ駆動電波によって誘導された起電力によりトランスポンダ制御手段を駆動させ、所定のトランスポンダコードを含む第２送信信号を自動送信する。そして、送受信装置は、そのトランスポンダコードと記録手段に記録されたトランスポンダコードとを比較し、それらトランスポンダコード同士が一致したときにドア錠を解錠させる。よって、携帯機が電池切れの場合であっても、携帯機によってドア錠を自動解錠させることができる。
【００１２】
また、送受信装置は、登録スイッチを操作することによって登録モードに切り換わる。そして、登録モードにおいて送受信装置は、携帯機からの送信信号に含まれるＩＤコード及びトランスポンダコードを記録手段に自動的に順次記録する。このため、各コードの記録、すなわちドア錠を自動解錠可能とする携帯機の登録を、容易に行うことができる。
【００１３】
請求項２に記載の発明によると、登録スイッチは、建物の屋内側において少なくとも第２受信アンテナと近接した位置に設けられている。このため、携帯機を受信アンテナに近接させた状態で登録スイッチを操作することができる。よって、送受信装置にＩＤコード及びトランスポンダコードを受信させやすくすることができる。
【００１４】
請求項３に記載の発明によると、登録スイッチを所定時間以上ＯＮしたときに、送受信装置は登録モードに切り換わるようになっている。換言すれば、瞬間的に登録スイッチをＯＮさせても、送受信装置は登録モードに切り換わらない。よって、誤って登録スイッチをＯＮさせたときなどに送受信装置が登録モードになってしまうといった誤動作を防止することができる。
【発明の効果】
【００１５】
以上詳述したように、本発明によれば、電池切れ時においても携帯機によってドア錠を施解錠することができるとともに、携帯機の登録を容易に行うことができる。
【発明を実施するための最良の形態】
【００１６】
以下、本発明を住宅用ドア錠の遠隔操作装置に具体化した一実施形態を図１〜図８に基づき詳細に説明する。
図１に示すように、遠隔操作装置１は、住宅２の所有者（家人）に所持される携帯機１１と、住宅２のドア３内に配設され、携帯機１１と相互通信可能な送受信装置１２とを備えている。
【００１７】
図２及び図３にも併せ示すように、ドア３には、屋外側に露出する屋外アンテナ部４と、屋内側に露出する屋内アンテナ部５が配設されている。これらアンテナ部４，５には、それぞれＬＥＤ等からなる表示部６が形成されている。
【００１８】
図４（ａ）に示すように、屋外アンテナ部４の内部には、送受信アンテナ４ａ，４ｂが配設されている。そして、屋外アンテナ部４の表面には、押しボタンスイッチからなるモード切換スイッチ９が形成されている。また、図４（ｂ）に示すように、屋内アンテナ部５の内部には、送受信アンテナ５ａ，５ｂが配設されている。そして、屋内アンテナ部５の表面には、押しボタンスイッチからなる登録スイッチ１０が形成されている。また、図１〜図３に示すように、ドア３の側面３ａには、受信アンテナ１２ａが埋設されている。
【００１９】
なお、本実施形態において、送受信アンテナ４ａ，４ｂ，５ａ，５ｂは１３４ｋＨｚの電波を送信可能に設定され、受信アンテナ１２ａは３００ＭＨｚの電波を受信可能に設定されている。
【００２０】
さらに、ドア３には２つのドア錠７，８が形成されており、同ドア３の屋内側面には、これらドア錠７，８を手動で施解錠可能な手動ロック機構７ａ，８ａが形成されている。これら手動ロック機構７ａ，８ａは、一般的な屋内側施解錠用つまみである。よって、これら手動ロック機構７ａ，８ａを手動で操作することによってドア錠７，８を手動で施解錠することができる。
【００２１】
図５に示すように、携帯機１１は、受信回路１３、マイクロコンピュータ（マイコン）１４、トランスポンダ制御部１５、送信手段としての送信回路１６、及び手動操作手段としての入力回路１８を備えている。
【００２２】
受信回路１３は、送受信装置１２からのリクエスト信号トランスポンダ駆動電波を受信して、その信号をマイコン１４に入力するための回路である。
マイコン１４は、受信回路１３からのリクエスト信号が入力されたときに、予め設定された所定のＩＤコードを含む第１送信信号（ＩＤコード信号）を出力するための回路である。
【００２３】
トランスポンダ制御部１５は、電磁波によって充分なエネルギを受けると、予め設定された所定のトランスポンダ用のＩＤコード（トランスポンダコード）を含む第２送信信号（トランスポンダ信号）を出力する。
【００２４】
送信回路１６は、ＩＤコード信号を所定周波数の電波に変調して外部に送信するための回路である。受信回路１３には受信アンテナ２０が接続され、送信回路１６には送信アンテナ１９が接続されている。なお、本実施形態におけるＩＤコード信号の周波数は３００ＭＨｚに設定され、トランスポンダ信号の周波数は１３４ｋＨｚに設定されている。よって、アンテナ１９は３００ＭＨｚの電波を送信可能に設定され、アンテナ２０は１３４ｋＨｚの電波を受信可能に設定されている。
【００２５】
入力回路１８は、操作キー等からなり、家人のキー操作によって入力された操作信号をマイコン１４に入力するための回路である。
一方、図５に示すように、送受信装置１２は、リクエスト信号出力手段及びトランスポンダ駆動電波出力手段としての送信回路２１、受信回路２２，２３、ドアロック制御手段としてのマイクロコンピュータ（マイコン）２４、及び切換回路２５を備えている。
【００２６】
送信回路２１及び受信回路２３には、切換回路２５を介して送受信アンテナ４ａ，４ｂ及び５ａ，５ｂが接続されている。この切換回路２５は、各アンテナ４ａ，４ｂ，５ａ，５ｂを、送信回路２１または受信回路２３に選択的に接続するための回路である。また、受信回路２２には、受信アンテナ１２ａが接続されている。
【００２７】
送信回路２１は、マイコン２４から出力されるリクエスト信号を所定周波数の電波に変換し、送受信アンテナ４ａ，４ｂ，５ａ，５ｂを介して出力するための回路である。したがって、図３に示すように、リクエスト信号は、送受信アンテナ４ａ，４ｂを介して屋外側におけるドア３の周辺の所定領域Ａ１に出力されるとともに、送受信アンテナ５ａ，５ｂを介して屋内側におけるドア３の周辺の所定領域Ａ２に出力される。すなわち、これらの所定領域Ａ１，Ａ２において携帯機１１と送受信装置１２との相互通信が可能となる。なお、本実施形態におけるリクエスト信号の周波数は、１３４ｋＨｚに設定されている。
【００２８】
携帯機１１から出力されたＩＤコード信号は、受信アンテナ１２ａを介して受信回路２２によって受信される。この受信回路２２は、そのＩＤコード信号をパルス信号に復調して受信信号を生成するとともに、その受信信号をマイコン２４へ出力するための回路である。また、携帯機１１から出力されたトランスポンダ信号は、送受信アンテナ４ａ，４ｂまたは５ａ，５ｂを介して受信回路２３によって受信される。このとき、アンテナ４ａ，４ｂ，５ａ，５ｂは、切換回路２５によって受信回路２３との接続に切り換えられる。そして、受信回路２３は、そのトランスポンダ信号をパルス信号に復調して受信信号を生成するとともに、その受信信号をマイコン２４へ出力する。
【００２９】
マイコン２４には、表示部６、ドア錠７，８、モード切換スイッチ９、及び登録スイッチ１０が電気的に接続されている。このマイコン２４は、ＣＰＵユニットによって構成されており、リクエスト信号を間欠的に出力するようになっている。また、マイコン２４は、ＲＡＭ等からなる記録手段としてのメモリ２４ａを備えている。このメモリ２４ａは、携帯機１１毎に設定されたＩＤコード及びトランスポンダコードを記録可能となっている。
【００３０】
そして、マイコン２４は、ＩＤコードを含む受信信号が入力されたときには、メモリ２４ａに記録されたＩＤコードと受信信号に含まれるＩＤコードとの比較（ＩＤコードの照合）を行うようになっている。そして、それらＩＤコードが一致したときに、マイコン２４は、ドア錠７，８に対して駆動信号を出力するようになっている。
【００３１】
また、マイコン２４は、トランスポンダコードを含む受信信号が入力されたときには、メモリ２４ａに記録されたトランスポンダコードと受信信号に含まれるトランスポンダコードとの比較を行うようになっている。そして、それらトランスポンダコードが一致したときに、マイコン２４は、ドア錠７，８に対して駆動信号を出力するようになっている。
【００３２】
次に、このように構成された遠隔操作装置１によるドア錠７，８の基本的な施解錠動作について説明する。なお、この動作の概要を図６に時系列的に示す。
遠隔操作装置１の動作時には、まず、送受信装置１２の送受信アンテナ４ａ，５ａから所定領域Ａ１，Ａ２に対して、リクエスト信号が間欠的に出力される。このリクエスト信号は、遠隔操作装置１の動作中、常時出力される。
【００３３】
携帯機１１は、所定領域Ａ１，Ａ２内に入ってリクエスト信号を受信すると、このリクエスト信号に応答してＩＤコード信号を自動送信する。すなわち、携帯機１１を所持する家人がドア３に近づいたときに、携帯機１１からＩＤコード信号が自動送信される。携帯機１１は、通常、リクエスト信号を受信するためのスタンバイモードとなっており、該リクエスト信号の受信時にのみＩＤコード信号を送信するようになっている。
【００３４】
送受信装置１２は、ＩＤコード信号を受信すると、そのＩＤコード信号に含まれるＩＤコードを、自身に予め記録されたＩＤコードと比較する。そして、それらＩＤコード同士が一致したときには、ドア錠７，８に対して駆動信号を出力して、ドア錠７，８を解錠させる。このため、ドア錠７，８は、家人がドア３に近づくだけで自動的に解錠される。すなわち、家人は、ドア錠７，８を解錠するための操作を一切行う必要がない。
【００３５】
一方、ドア錠の解錠後、携帯機１１が所定領域Ａ１，Ａ２から離間したときには、携帯機１１は、リクエスト信号を受信できなくなるため、ＩＤコード信号を送信しなくなる。すなわち、送受信装置１２はＩＤコード信号を受信できなくなる。この場合、マイコン２４は、携帯機１１がドア３から離れたものと判断して、ドア錠７，８に対して駆動信号を出力し、ドア錠７，８を施錠させる。よって、ドア錠７，８は、家人がドア３から離間するだけで自動的に施錠される。すなわち、家人は、ドア錠７，８を施錠するための操作を一切行う必要がない。したがって、こうした遠隔操作装置１によれば、ドア錠７，８を一切の操作を行うことなく施解錠することができる。また、マイコン２４は、ドア錠７，８の解錠時及び施錠時に、前記表示部６に対して信号を出力し、同表示部６によって解錠または施錠されたことを表示させる。なお、本実施形態において表示部６は、色の異なる２つのＬＥＤからなり、ドア錠７，８の解錠時には一方のＬＥＤが点灯され、ドア錠７，８の施錠時には他方のＬＥＤが点灯されるようになっている。
【００３６】
また、入力回路１８の動作時には、携帯機１１から送受信装置１２に手動操作信号が送信される。この手動操作信号には、ドア錠７，８を優先的に解錠または施錠するための信号が含まれている。そして、送受信装置１２は、この手動操作信号を受信すると、ドア錠７，８を優先的に解錠または施錠させる。このため、入力回路１８を構成する操作キーによって解錠の操作がなされたときには、たとえ携帯機１１が所定領域Ａ１，Ａ２外にあったとしても、ドア錠７，８は解錠される。そして、施錠の操作がなされたときには、たとえ携帯機１１が所定領域Ａ１，Ａ２内にあったとしても、ドア錠７，８は施錠される。
【００３７】
こうした携帯機１１と送受信装置１２との相互通信によるドア錠７，８の解錠動作を行う際、携帯機１１は、内蔵された電池（図示略）から供給された電力によって駆動する。このため、携帯機１１が電池切れとなったときには、上述した基本動作による解錠動作を行うことはできない。そこで、携帯機１１が電池切れとなった場合におけるドア錠７，８の解錠動作について説明する。なお、この動作の概要を図７に時系列的に示す。
【００３８】
携帯機１１が電池切れとなったときには、まず携帯機１１を屋外アンテナ部４に近接させた状態で、モード切換スイッチ９を押す。これにより送受信装置１２は、通常モードからトランスポンダモードに切り換わる。詳しくは、送受信装置１２は、リクエスト信号の出力を停止してトランスポンダ駆動電波の出力を開始する。なお、本実施形態においては、モード切換スイッチ９を所定時間（例えば３秒間）以上押すことによってトランスポンダモードに切り換わるようになっている。
【００３９】
図３に示すように、トランスポンダ駆動電波は、送信回路２１でリクエスト信号と同じ周波数の電波に変調され、送受信アンテナ４ａ，５ａを介して所定領域Ａ３に出力される。この所定領域Ａ３は、アンテナ部４，５から約０．１m程度離間した範囲までが有効範囲となるとともに、リクエスト信号の出力領域Ａ１，Ａ２内となるように設定されている。また、リクエスト信号が間欠的に出力されることに対し、トランスポンダ駆動電波は連続的に出力される。この状態で携帯機１１をトランスポンダ駆動電波の出力領域Ａ３内に位置していれば、トランスポンダ駆動電波の電磁誘導によって携帯機１１に誘導起電力が発生する。そして、この起電力によってトランスポンダ制御部１５が駆動し、トランスポンダ信号が出力される。
【００４０】
送受信装置１２は、このトランスポンダ信号を送受信アンテナ４ａによって受信し、同信号に含まれるトランスポンダコードとメモリ２４ａに記録されたトランスポンダコードとを照合する。そして、それらコード同士が一致したときには、ドア錠７，８に対して駆動信号を出力して、ドア錠７，８を解錠させる。
【００４１】
したがって、携帯機１１が電池切れであっても、通常の状態と同様にドア錠７，８は自動的に解錠される。すなわち、携帯機１１を屋外アンテナ部４に近接させることにより、携帯機１１が電池切れであっても、ドア錠７，８を自動的に解錠させることができる。また、ドア錠７，８は、ドア３が一旦開かれた後に閉じられたときに自動的に施錠されるようになっている。
【００４２】
ところで、携帯機１１によってドア錠７，８を自動施解錠させるためには、携帯機１１のＩＤコード及びトランスポンダコードを、送受信装置１２のマイコン２４のメモリ２４ａに登録しておく必要がある。そこで、こうした各コードの登録動作について説明する。なお、この動作の概要を図８に時系列的に示す。
【００４３】
こうした各コードの登録時には、まず携帯機１１を屋内アンテナ部５に近接させる。具体的には、携帯機１１を屋内側におけるトランスポンダ駆動電波の出力領域Ａ３内に位置させる。そして、屋内アンテナ部５に配設された登録スイッチ１０を押す。これにより送受信装置１２は通常モードから登録モードに切り換わり、メモリ２４ａへのコードの書き込みが可能となる。なお、本実施形態においては、登録スイッチ１０を所定時間（例えば３秒間）以上押すことによって登録モードに切り換わるようになっている。
【００４４】
そして、送受信装置１２は、はじめにリクエスト信号を出力する。送受信装置１２は、これに応答した携帯機１１からのＩＤコード信号を受信すると、そのＩＤコード信号に含まれるＩＤコードをメモリ２４ａに記録する。
【００４５】
次いで、送受信装置１２は、トランスポンダ駆動電波を出力する。送受信装置１２は、これに応答した携帯機１１からのトランスポンダ信号を受信すると、そのトランスポンダ信号に含まれるトランスポンダコードをメモリ２４ａに記録する。つまり、携帯機１１に設定されたＩＤコード及びトランスポンダコードが、メモリ２４ａに自動的に順次記録される。言い換えれば、一度の登録動作によって、ＩＤコード及びトランスポンダコードがメモリ２４ａに記録される。
【００４６】
このため、送受信装置１２では、記録（登録）されたＩＤコード及びトランスポンダコードに基づいて、携帯機１１からの送信信号が照合される。よって、各コードが記録（登録）された携帯機１１によってのみ、ドア錠７，８を解錠可能となる。なお、登録モードに切り換わったときや登録が完了したときには、表示部６の両ＬＥＤが所定時間点灯するようになっている。
【００４７】
したがって、本実施形態によれば以下のような効果を得ることができる。
（１）携帯機１１が電池切れのときには、モード切換スイッチ９を押すことによって送受信装置１２はトランスポンダモードに切り換わり、屋外アンテナ部４からトランスポンダ駆動電波が出力される。そして、携帯機１１は、トランスポンダ駆動電波によって誘導された起電力によりトランスポンダ制御部１５を駆動させ、トランスポンダコードを含むトランスポンダ信号を出力する。送受信装置１２では、そのトランスポンダコードとメモリ２４ａに記録されたトランスポンダコードとを比較し、それらトランスポンダコード同士が一致したときにドア錠７，８を解錠させる。よって、携帯機１１が電池切れの場合であっても、携帯機１１によってドア錠７，８を自動解錠させることができる。
【００４８】
しかも、携帯機１１のＩＤコード及びトランスポンダコードをメモリ２４ａに記録する際には、登録スイッチ１０を所定時間以上押す（ＯＮする）ことによって、各コードがメモリ２４ａに自動的に順次記録される。このため、各コードの記録、すなわちドア錠７，８を自動解錠可能とする携帯機１１の登録を、容易に行うことができる。
【００４９】
（２）登録スイッチ１０は、屋内アンテナ部５に設けられている。このため、携帯機１１を屋内側送受信アンテナ５ａに近接させた状態で登録スイッチ１０を操作することができる。よって、送受信装置１２にＩＤコード及びトランスポンダコードを確実に受信させることができ、携帯機１１の登録を確実に行うことができる。
【００５０】
（３）登録スイッチ１０を所定時間以上ＯＮしたときに、送受信装置１２は登録モードに切り換わるようになっている。換言すれば、瞬間的に登録スイッチ１０をＯＮさせても、送受信装置１２は登録モードに切り換わらない。よって、誤って登録スイッチ１０をＯＮさせたときなどに送受信装置１２が登録モードになってしまうといった誤動作を防止することができる。
【００５１】
（４）送受信装置１２は、モード切換スイッチ９を押すことによってトランスポンダモードに切り換わるようになっている。言い換えれば、トランスポンダモードに切り換える際には、モード切換スイッチ９を押すだけでよい。このため、簡単な操作によって送受信装置１２をトランスポンダモードに切り換えることができる。
【００５２】
（５）登録スイッチ１０として、押しボタンスイッチが用いられている。このため、登録スイッチ１０を押すだけで送受信装置１２を登録モードに切り換えることができる。すなわち、登録モードへの切換操作を簡単に行うことができる。
【００５３】
（６）登録モードへの切り換え時及び登録完了時には、表示部６が点灯されるようになっている。このため、家人は、登録モードか否かを簡単かつ確実に認識することができる。
【００５４】
（７）ドア錠７，８が施錠された際には、表示部６を点灯させることによって施解錠状態が告知される。このため、家人は、ドア３から離れていてもドア錠７，８が施錠状態または解錠状態にあることを確実に認識することができる。しかも、表示部６は、ドア錠７，８の施錠時から所定時間のみ点灯するようになっている。このため、第三者がドア３の施解錠状態を容易に認識してしまうといった不都合を解消することができ、セキュリティの低下を防止することができる。
【００５５】
（８）携帯機１１に設けられた操作キーを操作することによって入力回路１８を作動させた際には、ドア錠７，８は優先的に施解錠される。このため、家人は、リクエスト信号の出力領域Ａ１，Ａ２外にいてもドア錠７，８を解錠することができる。もちろん家人は、該出力領域Ａ１，Ａ２内にいてもドア錠７，８を施錠することができる。よって、家人の意志に基づいたドア錠７，８の施解錠を確実に行うことができ、当該装置１の操作性を向上させることができる。
【００５６】
（９）ドア３の屋内側面には手動ロック機構７ａ，８ａが設けられているため、この手動ロック機構７ａ，８ａを操作することによって、手動でドア錠７，８を施解錠することができる。よって、家人の意志に基づいたドア錠７，８の施解錠を確実に行うことができ、当該装置１の操作性を向上させることができる。
【００５７】
（１０）屋外アンテナ部４及び屋内アンテナ部５には、それぞれ２つずつの送受信アンテナ４ａ，４ｂ及び５ａ，５ｂが設けられている。このため、リクエスト信号の指向性を広くすることができ、携帯機１１におけるリクエスト信号の受信感度を高めることができる。
【００５８】
なお、本発明の実施形態は以下のように変更してもよい。
・  前記実施形態では、各コードの登録動作時に、先にＩＤコードをメモリ２４ａに記録させるようにしている。しかし、先にトランスポンダコードをメモり２４ａに記録させるようにしてもよい。すなわち、各コードの登録順序は、どのような順序であってもよい。
【００５９】
・  前記実施形態では、登録スイッチ１０を所定時間ＯＮさせたときに登録モードに切り換わるようにしている。しかし、これに限らず、登録スイッチ１０を瞬間的にＯＮさせたときに登録モードに切り換わるようにしてもよい。
【００６０】
・  モード切換スイッチ９及び登録スイッチ１０は、押しボタンスイッチに限らず、例えばスライドスイッチなどの他の種のスイッチでもよい。
・  前記実施形態において登録スイッチ１０は、屋内アンテナ部５に設けられている。しかし、この登録スイッチ１０は、屋内アンテナ部５以外の場所に設けられてもよい。但し、登録スイッチ１０は、少なくとも屋内側送受信アンテナ５ａに近接した場所に設けられていることが望ましい。例えば、図９に示すように、ドア３の側面３ａに設けてもよい。なお、図９に示す送受信装置１２は、ドア３の側面３ａから挿入固定されるユニット形状をなしている。そして、送受信装置１２において側面３ａに露出する箇所に登録スイッチ１０が設けられている。この登録スイッチ１０は、カバー１２ｂによって隠蔽可能となっている。このようにすれば、登録スイッチ１０の存在を第三者に認識させにくくすることができ、第三者によるＩＤコード及びトランスポンダコードの登録を抑制することができる。
【００６１】
・  前記実施形態では、ドア３に２つのドア錠７，８が設けられている。しかし、ドア錠７，８は、２つに限らず、１つのみであってもよい。また、３つ以上のドア錠としてもよい。
【００６２】
・  手動ロック機構７ａ，８ａを省略してもよい。また、入力回路１８を省略してもよい。このようにしても、自動施解錠動作によって、ドア錠７，８を施解錠させることができる。
【００６３】
・  前記実施形態では、表示部６を点灯させることによって登録モードか否かを家人に告知するようにしている。しかし、これに代えてブザーなどを用い、音によって告知するようにしてもよい。
【００６４】
・  送受信装置１２は、ドア３内に限らず、ドア３の近辺に配設されてもよい。
・  前記実施形態では、屋外アンテナ部４及び屋内アンテナ部５に、それぞれ２つずつの送受信アンテナ４ａ，４ｂ及び５ａ，５ｂが設けられている。しかし、各アンテナ部４，５には、それぞれ１つの送受信アンテナ４ａ，５ａが設けられていればよい。
【００６５】
・  前記実施形態では、ドア３の側面３ａに送受信装置１２の受信アンテナ１２ａが設けられている。しかし、この受信アンテナ１２ａは、屋外アンテナ部４及び屋内アンテナ部５に、それぞれ個別に設けてもよい。このようにすれば、携帯機１１からのＩＤコード信号の受信感度を高めることができる。
【００６６】
・  遠隔操作装置１を、住宅用に限らず、店舗や事務所等の建物用ドア錠の遠隔操作装置として具体化してもよい。また、建物用ドア錠の遠隔操作装置に限らず、車両用ドア錠の遠隔操作装置として具体化してもよい。
【００６７】
次に、特許請求の範囲に記載された技術的思想のほかに、前述した実施形態によって把握される技術的思想をその効果とともに以下に列挙する。
（１）  請求項２または請求項３に記載の建物用ドア錠の遠隔操作装置において、前記第１受信アンテナ及び前記第２受信アンテナは、前記ドアの屋内側面及び屋外側面にそれぞれ露出して設けられた屋内アンテナ部及び屋外アンテナ部にそれぞれ配設され、前記登録スイッチは、その屋内アンテナ部に配設されていること。この技術的思想（１）に記載の発明によれば、各受信アンテナと登録スイッチとを近接させることができるため、登録スイッチの操作時に携帯機を受信アンテナに近接させやすい。よって、各コードを記録手段に確実に記録させることができる。
【００６８】
（２）  請求項１〜３、技術的思想（１）のいずれか１項に記載の建物用ドア錠の遠隔操作装置において、前記登録スイッチは、押しボタンスイッチであること。この技術的思想（２）に記載の発明によれば、登録モードへの切換操作を簡単に行うことができる。
【００６９】
（３）  請求項１〜３、技術的思想（１），（２）のいずれか１項に記載の建物用ドア錠の遠隔操作装置において、前記ドアまたはそのドアの近辺には、前記送受信装置が登録モードに切り換わったときに点灯する表示部が設けられていること。この技術的思想（３）に記載の発明によれば、送受信装置が登録モードか否かを簡単かつ確実に認識することができる。
【００７０】
（４）  所有者によって所持される携帯機と、建物用ドアまたはそのドアの近辺に配設された送受信装置とを備える建物用ドア錠の遠隔操作装置であって、携帯機は、内蔵された電池によって駆動し、送受信装置から出力された所定のリクエスト信号に応答して所定のＩＤコードを含む第１送信信号を自動送信するＩＤコード制御手段と、送受信装置から出力された所定のトランスポンダ駆動電波によって誘導された起電力により駆動し、そのトランスポンダ駆動電波に応答して所定のトランスポンダコードを含む第２送信信号を自動送信するトランスポンダ制御手段とを備え、前記送受信装置は、前記ＩＤコード及び前記トランスポンダコードを記録可能な記録手段と、前記リクエスト信号を前記ドアの近辺の所定領域に出力可能なリクエスト信号出力手段と、前記トランスポンダ駆動電波を前記ドアの近辺の所定領域に出力可能なトランスポンダ駆動電波出力手段と、前記第１送信信号の受信時にはその送信信号に含まれるＩＤコードと記録されたＩＤコードとを比較し、前記第２送信信号の受信時にはその送信信号に含まれるトランスポンダコードと記録されたトランスポンダコードとを比較し、それらＩＤコード同士またはトランスポンダコード同士が一致したときにドア錠を解錠させるドアロック制御手段とを備えること。
【００７１】
（５）  所有者によって所持される携帯機と、建物用ドアまたはそのドアの近辺に配設された送受信装置とを備え、前記携帯機は、予め設定された複数種のＩＤコードを有し、前記送受信装置から出力された対応する信号に応じてそれらＩＤコードのうちのいずれかを含む送信信号を自動的に出力し、前記送受信装置には前記複数種のＩＤコードが登録され、送受信装置は、前記送信信号の受信時に、その送信信号に含まれるＩＤコードと、登録された対応するＩＤコードとを比較し、それらＩＤコード同士が一致したときにドア錠を解錠する建物用ドア錠の遠隔操作装置であって、前記送受信装置には、前記各ＩＤコードの登録を可能とする登録スイッチが接続され、その登録スイッチの動作時には、前記各ＩＤコードを含む各送信信号を前記携帯機から出力させ、それらＩＤコードを前記送受信装置に自動的に順次登録するようにしたこと。
【図面の簡単な説明】
【００７２】
【図１】本発明を住宅用ドア錠の遠隔操作装置に具体化した一実施形態に用いられるドアを屋外側から視た概略斜視図。
【図２】同実施形態に用いられるドアを屋内側から視た概略斜視図。
【図３】同実施形態に用いられるドアの概略側面図。
【図４】（ａ）は屋外アンテナ部を示す正面図、（ｂ）は屋内アンテナ部を示す正面図。
【図５】同実施形態の遠隔操作装置の概略構成を示すブロック図。
【図６】同実施形態におけるドア錠の基本的な解錠動作を時系列的に示す動作図。
【図７】同実施形態におけるドア錠のトランスポンダモード時の解錠動作を時系列的に示す動作図。
【図８】同実施形態におけるドア錠の登録モード時の解錠動作を時系列的に示す動作図。
【図９】他の実施形態の遠隔操作装置における送受信装置を拡大して示す部分斜視図。
【符号の説明】
【００７３】
１…遠隔操作装置、２…住宅、３…ドア、４…屋外アンテナ部、５…屋内アンテナ部、４ａ，４ｂ…屋外側送受信アンテナ、５ａ，５ｂ…屋内側送受信アンテナ、７，８…ドア錠、９…モード切換スイッチ、１０…登録スイッチ、１１…携帯機、１２…送受信装置、１２ａ…受信アンテナ、１４…ＩＤコード制御手段としてのマイコン、１５…トランスポンダ制御手段としてのトランスポンダ制御部、２１…リクエスト信号出力手段及びトランスポンダ駆動電波出力手段としての送信回路、２４…ドアロック制御手段としてのマイコン、２４ａ…記録手段としてのメモリ。
【図１】
2006336461.tif 000003
【図２】
2006336461.tif 000004
【図３】
2006336461.tif 000005
【図４】
2006336461.tif 000006
【図５】
2006336461.tif 000007
【図６】
2006336461.tif 000008
【図７】
2006336461.tif 000009
【図８】
2006336461.tif 000010
【図９】
2006336461.tif 000011